【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
外部電源からの電力の損失の間に、記録可能な媒体の表面から変換ヘッドを引き込むために、音声コイル・モータ（ＶＣＭ）に電力を提供するためのディスク・ドライブ緊急引き込みアーキテクチャであって、
内部インダクタンス含む、前記記録可能な媒体を回転するためのスピンドル・モータであって、前記回転する記録可能な媒体が、前記スピンドル・モータにおける戻り電動力（ＢＥＭＦ）を作るスピンドル・モータと、
電力を格納しかつ前記ＶＣＭへ電力を供給するコンデンサと、
前記スピンドル・モータに接続されたスイッチング回路であって、第１の状態にあるときに前記スピンドル・モータの内部インダクタンスにＢＥＭＦを格納させ、および第２の状態にあるときに前記スピンドル・モータの内部インダクタンスに格納されたエネルギーを前記コンデンサに移すようにさせるスイッチング回路と、
前記スイッチング回路を、前記外部電源からの電力の損失につづく前記第１の状態に、また前記第１の状態につづく前記第２の状態に選択的に置くよう接続された論理回路と、
を備える、ディスク・ドライブ緊急引き込みアーキテクチャ。
【請求項２】
前記スイッチング回路が、前記論理回路によって導電状態または非導電状態のいずれかに制御される第１のスイッチング副回路と、
前記副回路によって導電状態または非導電状態のいずれかに制御される第２のスイッチング副回路とを含み、
前記論理回路が、前記第１のスイッチング副回路および前記第２のスイッチング副回路を導電状態に選択的にするように動作可能であり、前記回転する記録可能な媒体によって生成される前記ＢＥＭＦが、第１の電流を、前記第１のスイッチング副回路、前記スピンドル・モータの内部インダクタンスおよび前記第２のスイッチング副回路を通して第１の電流路に流させて、エネルギーを前記スピンドル・モータの内部インダクタンスに格納させるようになっている
請求項１に記載のディスク・ドライブ緊急引き込みアーキテクチャ。
【請求項３】
前記論理回路が、前記第１のスイッチング副回路および前記第２のスイッチング副回路を非導電状態に選択的にするように動作可能であり、前記スピンドル・モータの前記内部インダクタンスに格納される前記エネルギーが、第２の電流を、前記スピンドル・モータから前記コンデンサへの第２の電流経路へ流れさせ、エネルギーを前記コンデンサに格納させる請求項２に記載のディスク・ドライブ緊急引き込みアーキテクチャ。
【請求項４】
さらに、コンデンサおよびＶＣＭに接続された電力スイッチ回路であって、前記電力スイッチ回路は、前記電力スイッチ回路が導電状態であるときに前記コンデンサから前記ＶＣＭに電力を供給し、前記電力スイッチ回路が非導電状態であるとき前記ＶＣＭへ前記コンデンサによって電力が供給されることを妨げる、電力スイッチ回路を含む請求項３に記載のディスク・ドライブ緊急引き込みアーキテクチャ。
【請求項５】
前記第２の電流が、前記電力スイッチ回路が、前記引き込み回路によって前記導電状態にされたとき、前記ＶＣＭへ電力を供給する請求項４に記載のディスク・ドライブ緊急引き込みアーキテクチャ。
【請求項６】
前記スピンドル・モータが、三相モータであり、結果として第１のＢＥＭＦと、前記第１のＢＥＭＦとは位相が異なる第２のＢＥＭＦと、前記第１のＢＥＭＦおよび前記第２のＢＥＭＦとは位相が異なる第３のＢＥＭＦとを生じる請求項１に記載のディスク・ドライブ緊急引き込みアーキテクチャにおいて、
前記スイッチ回路が、前記スピンドル・モータに接続される第１のトランジスタであって、前記第１のＢＥＭＦの値に応じて、電流ソースになりまたは電流シンクになるようにされた第１のトランジスタと、
前記スピンドル・モータに接続される第２のトランジスタであって、前記第２のＢＥＭＦの値に応じて、電流ソースになりまたは電流シンクになるようにされた第２のトランジスタと、
前記スピンドル・モータに接続される第３のトランジスタであって、前記第３のＢＥＭＦの値に応じて、電流ソースになりまたは電流シンクになるようにされた第３のトランジスタとを備え、
前記論理回路は、前記第１のトランジスタ、前記第２のトランジスタ、および第３のトランジスタを導電状態にするように動作可能であり、前記スピンドル・モータの内部インダクタンスが前記第１のＢＥＭＦ、前記第２のＢＥＭＦ、および前記第３のＢＥＭＦにより提供されるエネルギーを格納することを可能にする請求項１に記載のディスク・ドライブ緊急引き込みアーキテクチャ。
【請求項７】
前記論理回路は、前記第１のトランジスタ、前記第２のトランジスタ、および第３のトランジスタを非導電状態にするように動作可能であり、前記スピンドル・モータの前記内部インダクタンスに格納される前記エネルギーを、前記コンデンサに移す請求項６に記載のディスク・ドライブ緊急引き込みアーキテクチャ。
【請求項８】
電力の緊急損失の間に書き込み／読み取りヘッドを引き込む方法であって、
回転するディスクの慣性によってスピンドル・モータに生成される戻り電動力（ＢＥＭＦ）と関連するエネルギーを、前記スピンドル・モータの内部インダクタンスに移すように第１の電流路を生成するステップと、
前記スピンドル・モータの前記内部インダクタンスに移されたエネルギーがコンデンサに移されるように第２の電流路を生成するステップであって、前記スピンドル・データの内部インダクタンスがＢＥＭＦにより提供される電圧よりも大きな充電電圧を前記コンデンサに提供するものであるステップと、
前記コンデンサに格納されるエネルギーを電力スイッチ回路へ供給するステップであって、前記電力スイッチ回路は、前記電力スイッチ回路が導電状態であるときに引き込みモータに電力を供給するように動作し、前記電力スイッチ回路が非導電状態であるときに電力が前記コンデンサによって電力が供給されることを妨げる、エネルギーを電力スイッチ回路へ供給するステップと、
前記導電状態と前記非導電状態との間で前記電力スイッチ回路を変更することによって前記引き込みモータを駆動するステップとを含む方法。
【請求項９】
前記第１の電流路を生成するステップが、
第１のスイッチング回路および第２のスイッチング回路を導電状態に切り替える処理であって、誘導エネルギーが前記スピンドル・モータの内部インダクタンスに格納されるように、前記ＢＥＭＦにより第１の電流を前記第１の電流路を介して流させる処理を含む請求項８に記載の方法。
【請求項１０】
前記第２の電流路を生成するステップが、
第１のスイッチング回路および第２のスイッチング回路を非導電状態に切り替える処理であって、前記スピンドル・モータの内部インダクタンスに格納されたエネルギーを前記コンデンサに移すように、前記スピンドル・モータの内部インピーダンスに格納されたエネルギーにより第２の電流を前記第２の電流路に流させる処理を含む請求項９に記載の方法。
【請求項１１】
前記電力スイッチが導通状態にあるときに前記スピンドル・モータの内部インダクタンスに格納され誘電エネルギーが前記引き込みモータに印加されるように、前記第２の電流を前記電力スイッチ回路に印加するステップを、さらに含む請求項１０に記載の方法。
【請求項１２】
電力の緊急損失の間にディスクから安全なランディング領域へ変換ヘッドを引き込むための緊急引き込みアーキテクチャであって、
電力が音声コイル・モータ（ＶＣＭ）に供給されるとき、前記変換ヘッドを引き込むための音声コイル・モータと、
前記ディスクを回転するための三相電気モータであって、前記回転するディスクは、前記電気モータに三相戻り電動力を作り、前記電気モータは、さらに内部インダクタンスを有する、三相電気モータと、
前記電気モータに結合されるコンデンサと、
電力スイッチ回路であって、前記電力スイッチ回路は、前記電力スイッチ回路が導電状態であるときに、前記コンデンサから前記ＶＣＭへ電力を供給するように動作し、前記電力スイッチ回路が非導電状態であるときに、電力が前記コンデンサによって供給されることを妨げる、電力スイッチ回路と、
導電状態と非導電状態とを有する少なくとも１つのスイッチング回路と、
前記少なくとも１つのスイッチング回路および前記電力スイッチ回路に接続された制御回路とを備え、前記制御回路は、前記少なくとも１つのスイッチング回路を導電状態にし、前記電気モータのインダクタンスに電流を構築させ、前記制御回路は、前記少なくとも１つのスイッチング回路を非導電状態にし、前記電気モータの前記インダクタンスから前記コンデンサへ電流を引き出し、前記制御回路は、前記電力スイッチ回路を設定された周波数で前記導電状態と前記非導電状態との間に交互にするようにさらに動作し、前記コンデンサに格納された電力が、前記制御回路によって指示される周波数で前記ＶＣＭへ供給される緊急引き込みアーキテクチャ。
【請求項１３】
前記制御回路は、前記制御回路が前記電力スイッチ回路を前記非導電状態にする全てのときに、前記少なくとも１つのスイッチング回路を前記導電状態にし、かつ前記制御回路は、前記制御回路が前記電力スイッチ回路を前記導電状態にする全てのときに、前記少なくとも１つのスイッチング回路を前記非導電状態にする請求項１２に記載の緊急引き込みアーキテクチャ。
【請求項１４】
前記制御回路は、時間の８５％で前記少なくとも１つのスイッチング回路を前記導電状態にし、かつ前記制御回路は、時間の１５％で前記少なくとも１つのスイッチング回路を前記導電状態にする請求項１３に記載の緊急引き込みアーキテクチャ。
【請求項１５】
前記制御回路は、前記制御回路が前記電力スイッチ回路を前記導電状態にするのと同時に、前記少なくとも１つのスイッチング回路を前記導電状態にする請求項１２に記載の緊急引き込みアーキテクチャ。
【請求項１６】
外部電源からの電力の損失の間に、記録可能な媒体の表面から変換ヘッドを引き込むために、スピンドル・モータにおいて発生された戻り電動力（ＢＥＭＦ）から音声コイル・モータ（ＶＣＭ）に電力を提供するためのディスク・ドライブ緊急引き込みアーキテクチャであって、
電力を格納しかつ前記ＶＣＭへ電力を供給するコンデンサと、
前記スピンドル・モータに接続されたスイッチング回路であって、第１の状態にあるときに前記スピンドル・モータの内部インダクタンスに前記ＢＥＭＦを格納させ、および第２の状態にあるときに前記スピンドル・モータの内部インダクタンスに格納されたエネルギーを前記コンデンサに移すようにさせるスイッチング回路と、
前記コンデンサが、前記ＢＥＭＦにより提供される電圧よりも大きな電圧レベルに充電されるように、前記スイッチング回路の状態を選択的に制御するよう接続された論理回路と、を備えるディスク・ドライブ緊急引き込みアーキテクチャ。
【請求項１７】
前記スイッチング回路が、
前記論理回路によって、導通状態または非導通状態のいずれかに制御される第１のスイッチング副回路と、
前記論理回路によって、導通状態または非導通状態のいずれかに制御される第２のスイッチング副回路とを備え、
前記論理回路は、前記第１のスイッチング副回路および第２のスイッチング副回路を導通状態に選択的にするように動作可能であり、その結果前記スピンドル・モータにおいて発生されたＢＥＭＦが第１の電流を、前記第１のスイッチング副回路と前記第２のスイッチング副回路の間の第１の電流路に前記スピンドル・モータを通して流させ、および前記スピンドル・モータを通して流れる第１の電流がエネルギーを前記スピンドル・モータの内部インダクタンス内に格納させるようになっている請求項１６に記載のディスク・ドライブ緊急引き込みアーキテクチャ。
【請求項１８】
前記論理回路は、前記第１のスイッチング副回路および第２のスイッチング副回路を、導通状態に選択的にするよう動作可能であり、その結果前記スピンドル・モータの内部インダクタンスに格納されたエネルギーが、第２の電流を前記スピンドル・モータから前記コンデンサへの第２の電流路に流れるようにさせ前記コンデンサにエネルギーを格納させるようになっている請求項１７に記載のディスク・ドライブ緊急引き込みアーキテクチャ。
【請求項１９】
前記第１のスイッチング副回路が、少なくとも１つのトランジスタから成るものである請求項１７に記載のディスク・ドライブ緊急引き込みアーキテクチャ。
【請求項２０】
前記第２のスイッチング副回路が、少なくとも１つのトランジスタから成るものである請求項１７に記載のディスク・ドライブ緊急引き込みアーキテクチャ。